(57)【要約】【課題】入力側部材と外輪間に２方向ローラクラッチを設け、その２方向ローラクラッチの係合を制御する電磁クラッチを外輪の開口端部に連結されたカバーで覆うようにした回転伝達装置において、外輪に対するカバーの連結の信頼性を高めることである。【解決手段】入力側部材１の外側に外輪４を設け、その両部材１、４間に２方向ローラクラッチ２０を組込む。２方向ローラクラッチ２０の係合および係合解除を制御する電磁クラッチ４０を非磁性体から成るカバー５で覆い、そのカバー５の外輪４と対向する端面に突出部８を設け、その突出部８を外輪４の端面に形成された切欠部９に嵌合してカバー５を回り止めする。外輪４の開口端部の内周と突出部８の内周にリング溝１１を形成し、そのリング溝１１に止め輪１２を取付けてカバー５と外輪４とを連結する。【選択図】図１
2005249003.tif 000002
【特許請求の範囲】
【請求項１】
入力側部材の外側に設けられて相対的に回転自在に支持された出力側部材を外輪と非磁性体から成るカバーとに分割し、前記入力側部材と外輪の対向面における一方に円筒面を形成し、他方にその円筒面との間でくさび形空間を形成するカム面を設け、そのカム面と円筒面間に組込まれた係合子を保持器で保持し、この保持器とカム面が形成された部材の相互間に、係合子が円筒面およびカム面に対して係合解除される中立位置に保持器を弾性保持するスイッチばねを設け、前記カバーと入力側部材の相互間に、電磁石を有し、その電磁石の電磁コイルに対する通電により保持器に回転抵抗を負荷してカム面が形成された部材に対する保持器の相対回転により係合子を円筒面およびカム面に係合させる電磁クラッチを組込んだ回転伝達装置において、前記外輪とカバーの対向端面における一方に切欠部を形成し、他方にその切欠部内に嵌合される突出部を設け、その突出部と切欠部の嵌合部における内径側にカバーを軸方向に非分離とする連結手段を設けたことを特徴とする回転伝達装置。
【請求項２】
入力側部材の外側に設けられて相対的に回転自在に支持された出力側部材を外輪と非磁性体から成るカバーとに分割し、前記入力側部材に設けられた大径部の外周には前記外輪の内周に形成された円筒面との間でくさび形空間を形成するカム面を設け、そのカム面と円筒面間に組込まれた係合子を保持器で保持し、その保持器と入力側部材の相互間に係合子が円筒面およびカム面に対して係合解除される中立位置に保持器を弾性保持するスイッチばねを設け、前記カバーと入力側部材の相互間に、電磁石を有し、その電磁石の電磁コイルに対する通電により保持器に回転抵抗を負荷して、その保持器と入力側部材の相対回転により係合子を円筒面およびカム面に係合させる電磁クラッチを組込んだ回転伝達装置において、前記外輪とカバーの対向面における一方に切欠部を形成し、他方にその切欠部内に嵌合される突出部を設け、その突出部と切欠部の嵌合部における内径側にカバーを軸方向に非分離とする連結手段を設けたことを特徴とする回転伝達装置。
【請求項３】
前記電磁クラッチが、保持器に回り止めされて軸方向に移動可能なアーマチュアと、円筒面が形成された部材側に回り止めされて前記アーマチュアと軸方向で対向するロータと、そのロータと軸方向で対向し、電磁コイルに対する通電によってロータにアーマチュアを吸着させる電磁石とから成る請求項１又は２に記載の回転伝達装置。
【請求項４】
前記連結手段が、外輪の開口端部の内周と突出部の内周にリング溝を形成し、このリング溝に半径方向に弾性変形可能な止め輪を係合させた構成から成る請求項１乃至３のいずれかに記載の回転伝達装置。
【請求項５】
前記切欠部と突出部の軸方向で対向する端面間に潤滑油の排出孔を形成した請求項１乃至４のいずれかに記載の回転伝達装置。
【請求項６】
前記ロータのアーマチュアと対向する吸着面に複数の円弧状のスリットを同一円周上に形成し、各スリット内に非磁性体から成る弾性部材を取付けて、一部を前記吸着面より突出させた請求項２乃至５のいずれかに記載の回転伝達装置。
【請求項７】
前記ロータの内径側に密封手段を設けた請求項３乃至６のいずれかに記載の回転伝達装置。
【請求項８】
前記入力側部材の外周にリング溝を形成し、そのリング溝に取付けた止め輪の外周によって保持器の端部内周を支持した請求項１乃至７のいずれかに記載の回転伝達装置。
【請求項９】
前記入力側部材における大径部の端面に凹部を形成し、その凹部の外周壁における内径面にリング溝を設け、そのリング溝内にスイッチばねを取付けた請求項２乃至８のいずれかに記載の回転伝達装置。
【請求項１０】
前記外輪の内周に、その外輪を入力側部材に対して回転自在に支持する軸受の軸受嵌合面を形成し、その軸受嵌合面と前記円筒面とを同一径とした請求項２乃至９のいずれかに記載の回転伝達装置。
【発明の詳細な説明】
【技術分野】
【０００１】
この発明は、動力の伝達経路において、動力の伝達と遮断の切換えに用いられる回転伝達装置に関するものである。
【背景技術】
【０００２】
４輪駆動車（４ＷＤ）の補助駆動輪に対して動力の伝達と遮断の切換えに用いられる回転伝達装置として、入力側部材の外側に出力側部材を設けて相対的に回転自在に支持し、その入力側部材と出力側部材の相互間に、両部材を結合および係合解除する２方向ローラクラッチと、その２方向ローラクラッチの係合および係合解除を制御する電磁クラッチとを設けたものが従来から知られている。
【０００３】
ここで、２方向ローラクラッチは、入力側部材の外周に出力側部材の内周に形成された円筒面との間でくさび形空間を形成する複数のカム面を設け、各カム面と円筒面間に係合子を組込み、その係合子を保持する保持器と入力側部材の相互間にスイッチばねを組込んで、係合子が円筒面およびカム面に対して係合解除される中立位置に保持器を弾性保持し、その保持器と入力側部材の相対回転により、係合子を円筒面およびカム面に係合させるようにしている。
【０００４】
一方、電磁クラッチは、電磁石を有し、その電磁石の電磁コイルに対する通電により、保持器に回り止めされ、かつ軸方向に移動可能なアーマチュアを出力側部材に回り止めされたロータに吸着し、その吸着面に作用する摩擦抵抗により入力側部材と保持器とを相対回転させて係合子を円筒面およびカム面に係合させるようにしている。
【０００５】
ところで、上記従来の回転伝達装置においては、出力側部材の内側に２方向ローラクラッチと、その２方向ローラクラッチに並設された電磁クラッチを組込んだ構成であるため、出力側部材の軸方向長さが長く、しかも出力側部材の内側に非磁性体から成るロータガイドを嵌合して回り止めし、そのロータガイド内にロータを嵌合してロータの内部に流れる磁束の外部への漏洩を防止する構成であるため、出力側部材の外径も大きく、回転伝達装置の重量が重いという問題がある。
【０００６】
そのような問題点を解決するため、特許文献１に記載された回転伝達装置においては、出力側部材を外輪と外方部材とに分割し、その外方部材を合成樹脂等の非磁性体により形成し、その外方部材を外輪に対して回転不能に連結すると共に、前記外輪と入力側部材の相互間に２方向ローラクラッチを設け、前記外方部材によって電磁クラッチのロータを支持するようにしている。
【０００７】
上記のように、出力側部材を外輪と外方部材とに分割し、その外方部材を非磁性体によって形成することにより、回転伝達装置の軽量化を図ることができる。
【特許文献１】特開２００１−３１１４３８号公報
【発明の開示】
【発明が解決しようとする課題】
【０００８】
ところで、特許文献１に記載された回転伝達装置においては、外輪と外方部材の連結に、外輪と外方部材とを半径方向に延びるピンによって回転不能に、かつ軸方向に非分離に連結する連結手段や、外輪と外方部材の嵌合面に平坦面を形成して外方部材を回り止めし、外輪の外周に形成されたリング溝に止め輪を取付けて外方部材の軸方向への移動を防止するようにした連結手段が示されているが、ピンや止め輪を用いる連結においては、外輪が高速回転した場合に、遠心力によってピンや止め輪が外れるおそれがあり、連結の信頼性を高めるうえにおいて改善すべき点が残されている。
【０００９】
なお、ピンをねじに置き換えたり、ピンが挿入されるピン挿入孔の開口端縁に加締めを施してピンを抜け止めすることも考えられるが、この場合、コストを高めるという問題が発生する。
【００１０】
この発明の課題は、出力側部材を外輪と非磁性体から成るカバーとに分割し、外輪と入力側部材の相互間に２方向ローラクラッチを組込み、カバーと入力側部材の相互間に上記２方向ローラクラッチを制御する電磁クラッチを組込んだ回転伝達装置において、外輪に対するカバーの連結の信頼性を高めることである。
【課題を解決するための手段】
【００１１】
上記の課題を解決するために、この発明においては、入力側部材の外側に設けられて相対的に回転自在に支持された出力側部材を外輪と非磁性体から成るカバーとに分割し、前記入力側部材と外輪の対向面における一方に円筒面を形成し、他方にその円筒面との間でくさび形空間を形成するカム面を設け、そのカム面と円筒面間に組込まれた係合子を保持器で保持し、この保持器とカム面が形成された部材の相互間に、係合子が円筒面およびカム面に対して係合解除される中立位置に保持器を弾性保持するスイッチばねを設け、前記カバーと入力側部材の相互間に、電磁石を有し、その電磁石の電磁コイルに対する通電により保持器に回転抵抗を負荷してカム面が形成された部材に対する保持器の相対回転により係合子を円筒面およびカム面に係合させる電磁クラッチを組込んだ回転伝達装置において、前記外輪とカバーの対向端面における一方に切欠部を形成し、他方にその切欠部内に嵌合される突出部を設け、その突出部と切欠部の嵌合部における内径側にカバーを軸方向に非分離とする連結手段を設けた構成を採用したのである。
【００１２】
ここで、前記電磁クラッチとして、保持器に回り止めされて軸方向に移動可能なアーマチュアと、円筒面が形成された部材側に回り止めされて前記アーマチュアと軸方向で対向するロータと、そのロータと軸方向で対向し、電磁コイルに対する通電によってロータにアーマチュアを吸着させる電磁石とから成るものを採用することができ、外輪の内周に円筒面を形成する回転伝達装置においては、カバーの内側にロータを嵌合して回り止めし、一方、入力側部材の外周に円筒面を形成する回転伝達装置においては、その入力側部材の外側にロータを嵌合して回り止めする。
【００１３】
また、連結手段として、外輪の開口端部の内周と突出部の内周にリング溝を形成し、このリング溝に半径方向に弾性変形可能な止め輪を係合させた構成から成るものを採用することができる。
【００１４】
この発明に係る回転伝達装置において、切欠部と突出部の軸方向で対向する端面間に潤滑油の排出孔を形成すると、後加工による排油通路の形成を不要とすることができるため、コストの低減を図ることができる。
【００１５】
また、前記ロータのアーマチュアと対向する吸着面に複数の円弧状のスリットを同一円周上に形成し、各スリット内に非磁性体から成る弾性部材を取付けて、一部を前記吸着面より突出させると、スリットから内部に異物が侵入するのを防止することができると共に、ロータからアーマチュアを離反させる離反ばねの組込みを不要とすることができるため、回転伝達装置の組立ての容易化を図ることができる。
【００１６】
ここで、電磁クラッチのロータをカバーの内周に嵌合して回り止めする回転伝達装置において、ロータの内径側から内部に異物が侵入し、その異物がアーマチュアとロータ間に侵入すると、アーマチュアの吸着が不能となり、２方向ローラクラッチを係合させることができなくなるおそれが生じる。
【００１７】
そこで、ロータの内径側に密封手段を設けて異物の侵入を防止するのが好ましい。
【００１８】
また、係合子を保持する保持器を、入力側部材の外周に嵌合され、止め輪の取付けによって軸方向に移動するのが防止されたプレートで回転自在に支持する構成であると、入力側部材の高速回転時に、遠心力によって止め輪が外れてプレートを軸方向に保持することができなくなる。
【００１９】
そこで、入力側部材の外周にリング溝を形成し、そのリング溝に取付けた止め輪によって保持器の端部内周を支持することにより、遠心力によって止め輪が外れるのを防止することができ、その止め輪によって保持器を安定よく支持することができる。
【００２０】
また、入力側部材の大径部の外周にカム面を設けた回転伝達装置においては、上記大径部の端面に凹部を形成し、その凹部内にスイッチばねを組込むようにする。この場合、スイッチばねが凹部から抜け出ると、スイッチばねの機能を発揮させることができなくなるため、上記凹部の外周壁における内周にリング溝を形成し、このリング溝内にスイッチばねを組込んでスイッチばねを軸方向に規制するのが好ましい。
【００２１】
さらに、出力側部材である外輪の内周に円筒面を形成し、入力側部材の外周にカム面を形成した回転伝達装置において、外輪の内周に、その外輪を入力側部材に対して回転自在に支持する軸受の軸受嵌合面を形成し、その軸受嵌合面と前記円筒面とを同一径とすると、外輪の内周の加工が容易となり、コストの低減を図ることができる。
【発明の効果】
【００２２】
以上のように、この発明に係る回転伝達装置においては、外輪とカバーの対向面における一方に切欠部を形成し、他方に突出部を形成し、この突出部を切欠部に嵌合したので、外輪に対してカバーを回り止めすることができる。
【００２３】
また、突出部の内周と外輪の開口端部の内周にリング溝を形成し、そのリング溝に止め輪を係合させたことにより、高速回転時の遠心力によって止め輪がリング溝から外れるという不都合の発生はなく、外輪とカバーとを確実に連結状態に保持することができ、信頼性の高い連結状態を得ることができる。
【発明を実施するための最良の形態】
【００２４】
以下、この発明の実施の形態を図面に基づいて説明する。図１に示すように、入力側部材１は大径部２ａを有し、その大径部２ａの先端部に段付きの突軸部２ｂが設けられている。
【００２５】
大径部２ａの外側には出力側部材３が設けられている。出力側部材３は図１および図６に示すように、外輪４とカバー５とに分割されている。外輪４は金属から成る。この外輪４は軸受嵌合面６を内周に有し、その軸受嵌合面６と前記突軸部２ｂ間に組込まれた軸受７によって入力側部材１と外輪４は相対的に回転自在とされている。
【００２６】
図４に示すように、外輪４の開口端部には第１円筒部４ａと、第２円筒部４ｂが軸方向に位置をずらして設けられ、第１円筒部４ａの内径は第２円筒部４ｂの内径より大径とされ、その第２円筒部４ｂ内に前記カバー５が嵌合されている。
【００２７】
カバー５は合成樹脂等の非磁性体から成り、そのカバー５の内径は第２円筒部４ｂの内径とほぼ同一径とされている。
【００２８】
カバー５の外輪４に対する対向端面には複数の突出部８が周方向に等間隔に形成され、各突出部８は第１円筒部４ａおよび第２円筒部４ｂに形成された切欠部９に嵌合されている。その嵌合によってカバー５は外輪４に回り止めされている。
【００２９】
ここで、突出部８の軸方向長さは第２円筒部４ｂの軸方向長さより短く、突出部８と切欠部９の対向端面間に潤滑油の排出孔１０が形成されている。
【００３０】
複数の突出部８の内周と第２円筒部４ｂの内周にはリング溝１１が形成され、そのリング溝１１に取付けた止め輪１２によってカバー５は外輪４に対して軸方向に非分離とされている。
【００３１】
図１に示すように、入力側部材１と外輪４の相互間には、その両部材１、４を結合および結合解除する２方向ローラクラッチ２０が組込まれている。
【００３２】
図１および図２に示すように、２方向ローラクラッチ２０は、外輪４の内周に前記軸受嵌合面６と同一径の円筒面２１を形成し、入力側部材１における大径部２ａの外周には上記円筒面２１との間でくさび形空間を形成する複数のカム面２２を設け、各カム面２２と円筒面２１との間にローラから成る係合子２３を組込み、各係合子２３を大径部２ａと外輪４間に組込まれた保持器２４で保持し、前記入力側部材１に対する保持器２４の相対回転によって係合子２３を円筒面２１およびカム面２２に対して係合および係合解除させるようにしている。
【００３３】
また、図２および図４に示すように、大径部２ａの端面に凹部２５を設け、その凹部２５の外周壁の内径面にリング溝２６を形成し、そのリング溝２６内にＣ形のスイッチばね２７を嵌合し、そのスイッチばね２７の両端から外向きに形成された一対の押圧片２７ａを上記凹部２５の外周壁に形成された切欠部２８から保持器２４の端面に設けられた切欠き２９内に挿入して、切欠部２８および切欠き２９の周方向で対向する端面を相反する方向に押圧し、その押圧によって係合子２３が円筒面２１およびカム面２２に対して係合解除される中立位置に保持器２４を弾性保持している。
【００３４】
ここで、保持器２４は、図１に示すように、その他端部から内向き延びるフランジ２４ａを有し、そのフランジ２４ａの内周面が段付き突軸部２ｂの大径部２ｃによって回転自在に支持されている。一方、大径部２ａの外周には図４に示すように、リング溝３０が形成され、そのリング溝３０に取付けた止め輪３１によって保持器２４の一端部内周が回転自在に支持されている。
【００３５】
また、スイッチばね２７が取付けられたリング溝２６は、そのスイッチばね２７が最も縮径した状態でスイッチばね２７を保持し得る深さとされている。
【００３６】
図１に示すように、入力側部材１とカバー５の相互間には、上記２方向ローラクラッチ２０の係合および係合解除を制御する電磁クラッチ４０が設けられている。
【００３７】
図４に示すように、電磁クラッチ４０は、保持器２４と軸方向で対向するアーマチュア４１と、そのアーマチュア４１と軸方向で対向するロータ４２と、そのロータ４２と軸方向で対向する電磁石４３およびアーマチュア４１をロータ４２から離反させる離反ばね４４とから成る。
【００３８】
アーマチュア４１は複数の係合孔４５を有し、その係合孔４５に保持器２４の一端面に形成された突片４６が係合し、その係合により保持器２４に対してアーマチュア４１が回り止めされ、かつ軸方向に移動可能とされている。
【００３９】
ロータ４２は、外周および内周に円筒部４２ａ、４２ｂを有し、外側円筒部４２ａがカバー５の内径面に圧入されてカバー５に回り止めされ、かつ、カバー５の開口端部の内周に取付けた止め輪４７によって軸方向に非可動とされている。一方、内側円筒部４２ｂの内径面には非磁性体から成るスリーブ４８が圧入され、そのスリーブ４８と入力側部材１との間に組込まれた軸受４９によってロータ４２は入力側部材１に対して回転自在とされている。また、スリーブ４８と入力側部材１の対向面間には異物の侵入を防止するシール部材５０が組込まれている。
【００４０】
また、ロータ４２には、図３および図４に示すように、アーマチュア４１に対する対向面に複数の円弧状のスリット５１が同一円上に形成され、各スリット５１内に弾性部材５２が取付けられている。この弾性部材５２は非磁性体から成り、各スリット５１から内部に異物が侵入するのを防止している。
【００４１】
ここで、図５に示すように、弾性部材５２をロータ４２のアーマチュア４１に対する対向面（吸着面）より外方に突出させておくと、離反ばね４４を省略することができる。
【００４２】
電磁石４３は、ロータ４２に設けられた円筒部４２ａ、４２ｂ内に位置する組込みとされている。この電磁石４３は電磁コイル４３ａを有し、その電磁コイル４３ａに対する通電によってアーマチュア４１がロータ４２に吸着されるようになっている。
【００４３】
電磁石４３は支持プレート５３により支持されている。一方、支持プレート５３は入力側部材１を回転自在に支持する軸受５４の外輪５４ａに支持されている。このように、軸受５４の外輪５４ａによって電磁石４３を支持することによって、入力側部材１と同軸上に電磁石４３を精度よく支持することができる。
【００４４】
図１に示すように、支持プレート５３はアーム５３ａを外周に有し、そのアーム５３ａの先端部が静止部材５５にねじ止めされている。アーム５３ａは細長いスリット５３ｂを有し、そのスリット５３ｂに電磁コイル４３ａのリード線４３ｂが嵌合され、固着されている。固着に際しては、接着による手段、合成樹脂によってモールドする手段等を採用することができる。
【００４５】
図１に示すように、入力側部材１には給油通路６０が形成されている。給油通路６０は入力側部材１の端面に入口６０ａを有し、その入口６０ａから給油通路６０に供給される潤滑油はスリーブ４８を支持する軸受４９内に流れてその軸受４９を潤滑すると共に、スリーブ４８と入力側部材１の対向面間より内部に流入して、アーマチュア４１とロータ４２の対向面間および２方向ローラクラッチ２０を潤滑するようになっており、上記入口６０ａ内にはフィルタ６１が組込まれ、そのフィルタ６１によって潤滑油に含まれる異物が捕捉されるようになっている。
【００４６】
実施の形態で示す回転伝達装置は上記の構造から成り、電磁石４３の電磁コイル４３ａに対する通電の遮断時、２方向ローラクラッチ２０の係合子２３は、図２に示すように、円筒面２１およびカム面２２に対して係合解除された中立位置に保持されている。
【００４７】
このため、入力側部材１が回転しても、その回転は出力側部材３に伝達されずに入力側部材１が空転する。このとき、入力側部材１と保持器２４の相互間にはスイッチばね２７が組込まれているため、保持器２４および係合子２３も入力側部材１と共に回転する。
【００４８】
入力側部材１の回転状態において、電磁コイル４３ａに通電すると、ロータ４２とアーマチュア４１の相互間に磁気吸引力が作用してアーマチュア４１が離反ばね４４の弾性に抗してロータ４２側に移動し、上記ロータ４２にアーマチュア４１が吸着される。その吸着面に作用する摩擦抵抗は保持器２４の回転抵抗となるため、入力側部材１と保持器２４とが相対回転し、その相対回転により係合子２３が円筒面２１およびカム面２２に係合する。このため、入力側部材１の回転は係合子２３を介して出力側部材３に伝達される。
【００４９】
また、入力側部材１と保持器２４の相対回転により、スイッチばね２７が弾性変形する。このとき、スイッチばね２７は縮径するが、リング溝２６の深さは、スイッチばね２７が最も縮径する状態でも、そのスイッチばね２７を保持することができる深さとされているため、スイッチばね２７がリング溝２６から外れることが防止される。
【００５０】
電磁コイル４３ａに対する通電を遮断すると、スイッチばね２７の弾性により保持器２４が回転し、係合子２３は円筒面２１およびカム面２２に対して係合解除される中立位置に戻される。
【００５１】
実施の形態における回転伝達装置においては、外輪４の開口端部に連結したカバー５によってロータ４２を支持し、そのカバー５を非磁性体によって形成しているため、外輪４は２方向ローラクラッチ２０を覆うことができる程度の軸方向長さの短いものでよいため、回転伝達装置の軽量化を図ることができる。
【００５２】
また、外輪４に設けられた第１円筒部４ａおよび第２円筒部４ｂに切欠部９を設け、その切欠部９にカバー５の端面に形成された突出部８を嵌合してカバー５を回り止めし、その突出部８と第２円筒部４ｂを軸方向に連結する止め輪１２を第２円筒部４ｂの内径側に設けたことによって、出力側部材３が高速回転しても止め輪１２が外れるという不都合の発生はなく、信頼性の高い連結状態を得ることができる。
【００５３】
さらに、突出部８と切欠部９の対向端面間に潤滑油の排出孔１０を形成することにより、後加工によって排出孔を形成する必要がなくなり、外輪４又はカバー５の加工コストの低減を図ることができる。
【００５４】
なお、図７および図８に示すように、外輪４に後加工によって排出孔６２を形成する場合は、外輪４の回転による遠心力によって排出孔６２を開放する弁体６３を組込んで、出力側部材３の回転停止時、弁体６３で排出孔６２を閉鎖して、排出孔６２から内部に異物が侵入するのを防止するのが好ましい。
【００５５】
ここで、図７においては、排出孔６２の外径側端部に円錐形のシート面６４を形成し、そのシート面６４に対して接離可能な球形の弁体６３を引張りばね６５によってシート面６４に接触させるようにしている。
【００５６】
一方、図８において、排出孔６２内に２枚の弾性体６３ａ、６３ｂから成る弁体６３を組込み、その弾性体６３ａ、６３ｂの弾性接触によって異物の侵入を防止し、回転時の遠心力や内部圧力の上昇により弾性体６３ａ、６３ｂの接触部を開放させて、その開放部から外部に潤滑油を流出させるようにしている。
【００５７】
図５に示すように、ロータ４２に形成されたスリット５１内に弾性部材５２を組込み、その弾性部材５２をロータ４２のアーマチュア４１に対する対向面より突出させることによって、その弾性部材５２はアーマチュア４１をロータ４２から離反させるばねの機能を有するため、図４に示す離反ばね４４の組込みを不要とすることができ、コストの低減を図ることができる。
【００５８】
また、図４に示すように、ロータ４２の内径面にスリーブ４８を圧入し、そのスリーブ４８の内側に密封手段としてのシール部材５０を組込むことによって、スリーブ４８と入力側部材１間を密封することができるため外部からの異物の侵入を防止することができる。
【００５９】
さらに、図１に示すように、大径部２ａの外周にリング溝３０を形成し、そのリング溝３０に装着した止め輪３１によって保持器２４の内径面を支持することにより、入力側部材１が高速回転しても止め輪３１が外れるという不都合の発生はなく、保持器２４を常に安定よく支持することができる。
【００６０】
また、図１に示すように、外輪４の内周に形成された軸受嵌合面６と２方向ローラクラッチ２０を形成する円筒面２１の内径を同一径とすることにより、外輪４の内周の加工が容易となり、加工コストの低減を図ることができる。
【００６１】
実施の形態では、外輪４の内周に円筒面２１を形成し、大径部２ａの外周にカム面２２を設けたが、外輪４の内周にカム面を設け、大径部２ａの外周に円筒面を形成してもよい。この場合、外輪４と保持器２４の相互間に係合子２３を中立位置に保持するスイッチばねを組込むと共に、電磁クラッチ４０のロータ４２を入力側部材１に嵌合して回り止めする。また、ロータ４２とカバー５の相互間に異物の侵入を防止する密封手段を組込むようにする。
【図面の簡単な説明】
【００６２】
【図１】この発明に係る回転伝達装置の実施の形態を示す縦断正面図
【図２】図１のII−II線に沿った断面図
【図３】図１のIII −III 線に沿った断面図
【図４】図１に示す電磁クラッチ部の拡大断面図
【図５】電磁クラッチの他の例を示す断面図
【図６】図１に示す回転伝達装置の出力側部材とカバーとを示す分解斜視図
【図７】図１に示す回転伝達装置の排出孔の他の例を示す断面図
【図８】図１に示す回転伝達装置の排出孔のさらに他の例を示す断面図
【符号の説明】
【００６３】
１    入力側部材
２ａ  大径部
３    出力側部材
４    外輪
５    カバー
６    軸受嵌合面
８    突出部
９    切欠部
１０  排出孔
１１  リング溝
１２  止め輪
２１  円筒面
２２  カム面
２３  係合子
２４  保持器
２５  凹部
２６  リング溝
２７  スイッチばね
３０  リング溝
３１  止め輪
４０  電磁クラッチ
４１  アーマチュア
４２  ロータ
４３  電磁石
５０  シール部材
５１  スリット
５２  弾性部材
【図１】
2005249003.tif 000003
【図２】
2005249003.tif 000004
【図３】
2005249003.tif 000005
【図４】
2005249003.tif 000006
【図５】
2005249003.tif 000007
【図６】
2005249003.tif 000008
【図７】
2005249003.tif 000009
【図８】
2005249003.tif 000010